(57)【特許請求の範囲】
【請求項１】
被固定部に本体部を固定した際に斜め下方に傾斜するように当該本体部に設けたホルダー部と、ロールペーパーの中心孔に装着する軸部材とを備え、
前記ホルダー部は斜め下方に向けて平行に配置した左右一対のガイド部と、当該左右一対のガイド部の下端側を水平方向のカッター部で連結することで内側にロールペーパーが納まる枠体に形成してあり、
前記カッター部は断面円弧状の後縁部と平面状の底面部と前縁側の刃先部とを有し、
前記軸部材をロールペーパーの中心孔に装着した状態で当該軸部材の両端部を前記左右のガイド部に装着し、引き出したペーパーを前記カッター部の後縁部から底面部を経由して前縁側の刃先部に当たるように上方に折り返すことで引き出したペーパーを切り取るものであり、
前記ホルダー部は前記本体部に水平回動可能に取り付けられていることを特徴とするロールペーパーホルダー。
【請求項２】
前記本体部は、被固定部に巻着するための固定ベルトを有することを特徴とする請求項１記載のロールペーパーホルダー。
【発明の詳細な説明】
【技術分野】
【０００１】
本発明はロールペーパーを保持し、必要な長さだけ引き出し（巻き戻し）て片手でも切り取ることができるロールペーパーホルダーに関する。
【背景技術】
【０００２】
ロールペーパーはトイレットペーパー、キッチンペーパー等として多くの分野において使用されている。
例えば、ロール式トイレットペーパーはトイレの壁面等に取り付けたロールペーパーホルダーに保持されていて、必要な長さだけ引き出して切り取り使用されている。
近年、介護施設等においては、移動式簡易トイレの肘掛け部やベッドのフレーム等に取り付けて使用することができるロールペーパーホルダーのニーズが増している。
このような分野にて使用するロールペーパーホルダーは使用者が身体的にハンディキャップを有していたり、介護する環境上の制約から介護者にとってもペーパーを引き出し、切り取る作業が片手で容易にできるものが望ましい。
また、ロールペーパーの取り替えが容易であることも要求されている。
【０００３】
特許文献１は上端を回動自在に支持したロール軸支の下端にロール軸を形成し、このロール軸にロールペーパーを装着すると自重にてロールペーパーが回動し、ロール受け箇所に摩擦摺接するロールペーパーホルダーを開示する。
しかし、同公報に開示するロールペーパーホルダーは、ロールペーパーとホルダーを取り付ける壁側に位置するロール受け箇所との摩擦にてペーパーの引き出しを抑えたものであり、構造上ロール受け箇所の近くにカッターを設けるとペーパーの切り出しができないことから、ロール軸と切刃との間隔が広くなり構造的にも複雑にならざるを得ない。
【先行技術文献】
【特許文献】
【０００４】
【特許文献１】特開平８−４９９号公報
【発明の概要】
【発明が解決しようとする課題】
【０００５】
本発明は、片手操作が容易で構造が簡単なロールペーパーホルダーの提供を目的とする。
【課題を解決するための手段】
【０００６】
本発明に係るロールペーパーホルダーは、被固定部に本体部を固定した際に斜め下方に傾斜するように当該本体部に設けたホルダー部と、ロールペーパーの中心孔に装着する軸部材とを備え、前記ホルダー部は斜め下方に向けて平行に配置した左右一対のガイド部と、当該左右一対のガイド部の下端側を水平方向のカッター部で連結することで内側にロールペーパーが納まる枠体に形成してあり、前記カッター部は断面円弧状の後縁部と平面状の底面部と前縁側の刃先部とを有し、前記軸部材をロールペーパーの中心孔に装着した状態で当該軸部材の両端部を前記左右のガイド部に装着し、引き出したペーパーを前記カッター部の後縁部から底面部を経由して前縁側の刃先部に当たるように上方に折り返すことで引き出したペーパーを切り取るものであり、前記ホルダー部は前記本体部に水平回動可能に取り付けられていることを特徴とする。
【０００７】
本明細書では、ロールペーパーをロールペーパーホルダーに装着した状態でカッター部側から見た正面視にて左右方向、上下方向及び前後方向を表現する。
本発明は本体部を移動式簡易トイレの肘掛けやベッドのフレーム等の被固定部に固定すると斜め下方に傾斜するホルダー部に左右一対のガイド部を設けることで、ロールペーパーを装着した軸部材がロールペーパーと軸部材を合せた重量（以下単に自重という）にて上記ガイド部に沿った下方にスライドする方向に力が作用する。
ロールペーパーは左右の一対ガイド部の間に納まるようになっていて、引き出したペーパーはカッター部の後縁部から、前縁部に設けた刃先部側に折り返して切り取る際に、ロールペーパーに摩擦力が働き、片手で容易にペーパーを切り取ることができる。
この場合、ペーパーをカッター部の後縁部から前縁部の刃先まで折り返して切り取るので、この折り返した部分のペーパーがそのまま下方に垂下するので、次に使用する人がこの部分をつまんで引き出すことができる。
また、ロールペーパーの巻数が少なくなってもその半径の減少に沿って軸部材がカッター部材側にスライドする。
市販されているロールペーパーには中心部に円筒状の芯部材を有するものと有しないものがあり、芯部材が無い場合でもペーパーの減量に合せて摩擦力が生じるが、芯部材を有する方が摩擦力が安定し好ましい。
【０００８】
ガイド部の構造はロールペーパーの中心孔に挿通された軸部材がガイド部に沿って自重により下方にスライドするようになっていれば特に制限されない。
例えばガイド部とスライダーとのうち、一方に凸部、他方に凹部を形成したレール構造でもよい。
また、スライダーにガイド部に沿ってスライドする挿通孔を設けてもよい。
軸部材は両側のスライダーをシャフトで連結し、当該スライダーの部分又はシャフトの部分で着脱可能にすることで、ロールペーパーの交換が可能になっているのが好ましい。
あるいは、軸部材の両側に設けたスライダーはそれぞれロールペーパーの芯受け部を有し、当該芯受け部が回動することでロールペーパーの交換が可能になっていてもよい。
【０００９】
ホルダー部に形成した左右一対のガイド部は概ね平行になっているのが好ましく、その上下方向傾斜角度はロールペーパーを装着した軸部材に下向き方向の自重力が働く範囲において制限はないが、図３（ｂ）にて説明するとガイド部と垂線とで形成される角度θが１０〜６０度の範囲が好ましい。
また、ホルダー部を本体部に水平回動可能に取り付けてあると、使用者の使いやすいようにホルダー部の向きを調整できる。
ここで、本体部は当該ロールペーパーホルダーを取り付ける被固定部に固定するための固定手段を有するのが好ましい。
この場合に固定手段として移動式簡易トイレの肘掛けやベッドのフレーム等の被固定部に巻着できる滑りにくい固定ベルトであると、固定作業が容易である。
固定ベルトは伸縮力のあるものが好ましい。
【発明の効果】
【００１０】
本発明に係るロールペーパーホルダーは、ロールペーパー及び軸部材の自重によりこのロールペーパーの外周部とカッター部との間に摩擦力を生じさせたので、簡単な構造でありながらこの摩擦力を利用して片手でも容易にペーパーを切り取ることができる。
また、引き出したペーパーをカッター部の後縁側からこのカッター部の下面を経由して前縁部に折り返して切り取るので、ペーパーを切り取った後はペーパーの先端部がカッター部の下側に垂れ下がるので、次の人がペーパーを引き出すのが容易になる。
【図面の簡単な説明】
【００１１】
【図１】本発明に係るロールペーパーホルダーの外観図を示し、（ａ）はロールペーパーの装着前、（ｂ）はその装着後を示す。
【図２】（ａ）はペーパーを引き出した状態、（ｂ）は引き出したペーパーを刃先部で折り返して切り取る状態を示す。
【図３】ロールペーパーホルダーの側面視を示し、（ａ）は新品のロールペーパーを装着した状態、（ｂ）はロールペーパーが使用され、外径が小さくなった状態を示す。
【図４】軸部材のガイド部への取付方法を示し、（ａ）は側面視、（ｂ）は正面視を示す。
【図５】軸部材の構造例を示し、（ａ）は側面視、（ｂ）はＡ−Ａ線断面図を示す。
【図６】（ａ）はロールペーパーホルダーの正面視、（ｂ）は底面視を示す。
【図７】取付具を緩め、ホルダー部を回動調整する説明図を示す。
【図８】軸部材をガイド部に装着した状態の正面視を示す。
【図９】（ａ）はＢ−Ｂ線断面図、（ｂ）はＣ−Ｃ線断面図を示す。
【図１０】（ａ）はペーパーを引き出して切り取る状態を示し、（ｂ）はペーパーの先が垂れ下がった状態を示す。
【図１１】ロールペーパーホルダーの背面視を示す。
【図１２】ロールペーパーホルダーを移動式トイレの肘掛けに固定した例を示す。
【図１３】ロールペーパーの交換例を示し、（ａ）は片方のスライダーのみをガイド部から取り外した状態、（ｂ）はロールペーパーの中心孔に軸部材を挿通した状態を示す。
【図１４】（ａ）は略Ｔ字形状の肘掛けにロールペーパーホルダーを固定した例を示し、（ｂ）は部品の構成例を示す。
【図１５】カッター部の形状例を示し、（ａ）は平面図、（ｂ）は正面図、（ｃ）は底面図を示す。
【図１６】（ａ）はシャフトをスライダーから着脱可能にした例を示し、（ｂ）はスライダーの内側に上下に回動するロールペーパーの芯受け部を設けた例を示す。
【発明を実施するための形態】
【００１２】
以下、本発明に係るホルダー１０（以下、単にホルダーという）の構造例を図面に基づいて説明する。
ホルダー１０は本体部１６とこの本体部１６を移動式トイレの肘掛けやベットのフレーム等の被固定部に巻き付けるように巻着するための滑りにくい固定ベルト１７を有する。
本体部１６にブラケット状の取付部１５を介してこの本体部１６から斜め下方に傾斜させたホルダー部１１を取り付けてあり、このホルダー部１１は左右一対の相互に平行なガイド部１１ａ，１１ｂを有する。
なお、このホルダー部１１は本体部１６に直接取り付けてもよい。
また、本体部１６とホルダー部１１の取り付け関係は本体部を被固定部に固定した際にホルダー部が斜め下方に傾斜していれば特に制限がない。
ホルダー部１１の下端部にカッター部１２を取り付けてある。
このカッター部１２は図１に示したように枠状のホルダー部１１の下端部に取り付ける構造に限定されるものではなく、例えば左右一対の平行な下方に傾斜したアーム状のガイド部の先端部を左右方向につなぐようにカッター部１２を連結してもよい。
左右のガイド部１１ａ，１１ｂに装着し、下方に向けてスライドする軸部材１３を有し、この軸部材１３はシャフト１３ａの両端部にスライダー１４ａ，１４ｂを取り付けた例になっている。
左右のガイド部１１ａ，１１ｂの間隔はその間にロールペーパー１が納まる間隔になっている。
軸部材１３に設けたスライダー１４ａ，１４ｂはシャフト１３ａに連結したままロールペーパー１の中心孔１ａを挿通する大きさになっている。
なお、本実施例では図４，図５に示すようにシャフト１３ａの端部にスライダー１４ａ，１４ｂに形成した円筒状の差込部２１４ａ，２１４ｂを差し込み可能になっていて、シャフト１３ａからスライダー１４ａ，１４ｂを取り外すことができるようになっている。
市販されているロールペーパーには中心に芯部材１ｃの有るものと無いものがあり、また芯部材１ｃの無いものでも中心孔の径の大きいものと小さいものがある。
そこで、このようにスライダーを取り外し可能にすると、ロールペーパーの中心孔の径に合せて交換できる。
左右のスライダー１４ａ，１４ｂは下方に向けて開口した断面略逆Ｕ字形状のスライド凹部１１４ａ，１１４ｂを形成するとともに左右のガイド部１１ａ，１１ｂに上方から着脱自在で且つ不本意に脱落することを防止するために干渉突部３１４ａ，３１４ｂを形成した例になっている。
これにより、軸部材１３をホルダー部１１から完全に取り外してもよいが、図１３に示すように片方のスライダーのみガイド部から取り外してロールペーパー１の中心孔１ａを挿通することもできる。
【００１３】
ロールペーパー１の中心孔１ａに軸部材１３を挿通し、上方からホルダー部１１の左右のガイド部１１ａ，１１ｂに装着した状態を図２（ａ）及び図３（ａ）に示す。
ホルダー部１１の下端部に左右方向のカッター部１２を配設してあるので、ロールペーパー１の引き出し部１ｂをカッター部１２の後縁側で内側から下方に垂下した状態にすると、ロールペーパー１と軸部材１３とを合せた重力（自重）の力にてロールペーパー１の外周部はカッター部１２の後縁側に形成された接触部Ｓに押圧され、摩擦力が生じる。
これにより、図３（ｂ）に示すように引き出したペーパーを上方に持ち上げるようにし、カッター部１２の後端部から下面部を経由し、刃先部１２ａで折り返すように引っ張ると切断部１ｄにて切り取られる。
従って、図１０（ａ）に示すように引き出したペーパー１ｂを刃先部１２ａで切り、１ｄの部分で切断すると、図１０（ｂ）に示すようにカッター部１２の後端部から下面部１２ｄを経由して折り返されたペーパー１ｅの部分は、そのまま垂れ下がる。
次の人はこの垂れ下がったペーパー１ｅの部分をつまむことができるので、容易にペーアーを引き出すことができる。
本実施例ではカッター部１２の下面部１２ｄを概ね水平にしたが、必ずしも水平である必要はなく、刃先部１２ａが直下になる垂線との角度０°から水平になる９０°の範囲に設定するのが好ましい。
また、図１０（ｂ）に示すように下面部１２ｄの寸法ａは垂れ下がるペーパー１ｅの長さに影響を与え、ａ寸法は１０〜３０ｍｍの範囲が好ましい。
また、カッター部１２の後縁部の寸法ｂは１０〜２０ｍｍの範囲で、刃先部１２ａの角度θ１は３０〜６０°の範囲に設定してある。
この場合に図３（ｂ）に示すようにロールペーパー１の巻数が少なくなり、外径が小さくなっても同様に作用する。
本実施例におけるカッター部１２は、図９及び図１５に示すように枠形状になったホルダー部１１の下端部に固定ピン１２ｃを用いて固定するとともに、カッター部１２の円弧状の後縁部から平面状の底面部にかけて左右方向の突条１２ｂを複数形成し、ペーパーの切り取り時に大きさ摩擦力が生じるようにしてある。
【００１４】
ホルダー部１１はブラケット状の取付部１５を介して本体部１６に取り付けてあり、本実施例は図３（ｂ）に示すようにホルダー部１１（ガイド部１１ａ，１１ｂ）の傾斜角θ（垂線との角度）が約４５度になっていて、図７に示すように取付具１５ａとして採用した蝶ねじにより左右方向水平に回動調整可能になっている。
この本体部１６の断面図を図９に示す。
本体部１６は固定ベルト１７の一方の端部１７ａを固定する立上げ部１６ｃと、この立上げ部１６ｃの下部側から略Ｌ字形状に形成した水平部１６ｂを有する。
本体部１６はさらに水平部１６ｂから下方に垂下した垂下部１６ａを有する。
取付部１５は前端部側にホルダー部１１の上部を溶接し、後方部を本体部１６の水平部１６ｂの下面側にボルト１５ｂと蝶ねじの取付具１５ａにて取り付けてある。
立上げ部１６ｃと水平部１６ｂの上面側で形成した固定部Ｊを用いて、例えば図１１に示したように移動型トイレ３の肘掛け２に固定する。
本実施例は立上げ部１６ｃの側面と水平部１６ｂの上面に滑止部材１８を貼り付けた例になっている。
垂下部１６ａの後面に固定ベルト１７の通し部１６ｅとバックルからなるベルト固定具１９を設けてある。
ベルト固定具１９は回動軸１９ａを中心に上下方向に回動し、先端部が固定ベルト１７を垂下部１６ａ側に向けて押圧固定する押圧突部１９ｂを有する。
これにより、例えば図３（ａ）にて説明すると、固定ベルト１７の一端部１７ａを本体部１６の立上げ部の前面に形状した取付孔の引掛け部１６ｄに引っ掛け掛止し、固定ベルト１７の端部（自由端）１７ａを肘掛け２の上面に巻き付けるようにしながら本体部１６の通し部１６ｅに通し、端部１７ａを引張るようにしながらベルト固定具１９の操作片１９ｃを下側に回動すると、固定ベルト１７が抜けないようになる。
なお、固定ベルト１７の自由端１７ａ側につまみ凹部１７ｂを形成した例になっている。
また、図１１に示すように本実施例は操作片１９ｃが不本意に回動しないように垂下部１６ａ側に操作片１９ｃと係止する係止突部１６ｆを設けてある。
【００１５】
ホルダー１０の固定手段として滑りにくい固定ベルト１７を用いたことにより、例えば図１４に示すようにＴ字形状の肘掛け２ａのような異形状の被固定部にも容易に固定できる。
なお、この場合に必要に応じて補助具２０を用いてもよい。
図１４（ｂ）に示した補助具２０は断面コ字形状で肘掛け２ａの下部に嵌合するようになっていて、内側に滑止部材２１，２２を取り付けてある。
補助具２０の下面に設けた突部２３を本体部の水平部１６ｂの上面に設けた凹部１６ｆに嵌合し用いる。
このような補助具を用いると、より安定した固定構造になる。
【００１６】
本発明において軸部材１３の構造も図１に示したようなシャフト１３ａの両端部にスライダー１４ａ，１４ｂを連結した構造に限定されるものではない。
例えば図１６（ａ）に示すように一方のスライダー１４ａにシャフトの着脱部４１４ａを形成し、シャフト１３ａの一方の端部１３ｂがスライダー１４ａから着脱可能になっていてもよく、図１６（ｂ）に示すようにスライダー１４ａ，１４ｂの内側に上下方向に回動するロールペーパーの芯受け部１４ｃ，１４ｄを形成することでこの芯受け部１４ｃ，１４ｄの回動によりロールペーパー１の交換が可能になっている。
スライダーの内側に芯受け部１４ｃ，１４ｄを設けた構造の場合には、スライダー１４ａ，１４ｂが安定するように例えばガイド部１１ａ，１１ｂの形状を矩形断面形状にし、このガイド部１１ａ，１１ｂが挿通する孔１４ｅ，１４ｆをスライダー１４ａ，１４ｂ側に形成するとよい。
【符号の説明】
【００１７】
１          ロールペーパー
１ａ        中心孔
１０        ロールペーパーホルダー
１１        ホルダー部
１１ａ      ガイド部
１１ｂ      ガイド部
１２        カッター部
１２ａ      刃先部
１３        軸部材
１３ａ      シャフト
１４ａ      スライダー
１４ｂ      スライダー
１４ｃ      芯受け部
１４ｄ      芯受け部
１５        取付部
１５ａ      取付具
１６        本体部
１７        固定ベルト
１８        滑止部材
１９        ベルト固定具
Ｓ          接触部
【図１】
0005683413.tif 000002
【図２】
0005683413.tif 000003
【図３】
0005683413.tif 000004
【図４】
0005683413.tif 000005
【図５】
0005683413.tif 000006
【図６】
0005683413.tif 000007
【図７】
0005683413.tif 000008
【図８】
0005683413.tif 000009
【図９】
0005683413.tif 000010
【図１０】
0005683413.tif 000011
【図１１】
0005683413.tif 000012
【図１２】
0005683413.tif 000013
【図１３】
0005683413.tif 000014
【図１４】
0005683413.tif 000015
【図１５】
0005683413.tif 000016
【図１６】
0005683413.tif 000017